【手続補正書】
【提出日】平成24年9月4日(2012.9.4)
【手続補正１】
【補正対象書類名】明細書
【補正対象項目名】００１１
【補正方法】変更
【補正の内容】
【００１１】
本発明の一側面は、階層的な分析フィルタ処理により所定ライン数の画像データが周波数帯域毎に分解された、少なくとも最低域成分のサブバンドの係数データを１ライン以上含む、各サブバンドの係数データ群からなるラインブロックが符号化されて生成された符号化データから、所定の解像度の復号画像を生成するのに必要なサブバンドの係数データに対応する符号化データを選択する選択手段と、前記選択手段により選択された符号化データを、復号する復号手段と、階層的に合成フィルタ処理を行い、前記復号手段により復号されて得られた前記係数データを合成し、前記所定の解像度の復号画像を生成する合成フィルタ手段とを備える画像処理装置である。
【手続補正２】
【補正対象書類名】明細書
【補正対象項目名】００２０
【補正方法】変更
【補正の内容】
【００２０】
本発明の一側面は、また、画像処理装置の選択手段が、階層的な分析フィルタ処理により所定ライン数の画像データが周波数帯域毎に分解された、少なくとも最低域成分のサブバンドの係数データを１ライン以上含む、各サブバンドの係数データ群からなるラインブロックが符号化されて生成された符号化データから、所定の解像度の復号画像を生成するのに必要なサブバンドの係数データに対応する符号化データを選択し、前記画像処理装置の復号手段が、選択された符号化データを復号し、前記画像処理装置の合成フィルタ手段が、階層的に合成フィルタ処理を行い、復号されて得られた前記係数データを合成し、前記所定の解像度の復号画像を生成する画像処理方法である。
【手続補正３】
【補正対象書類名】明細書
【補正対象項目名】０１１９
【補正方法】変更
【補正の内容】
【０１１９】
量子化部１０５は、各係数ラインを、供給された順に処理し、エントロピ符号化部１０６に供給するので、エントロピ符号化部１０６も、この図１１の右に示される順に、各係数ラインを処理することになる。
【手続補正４】
【補正対象書類名】明細書
【補正対象項目名】０１３３
【補正方法】変更
【補正の内容】
【０１３３】
ステップＳ１０９において、ウェーブレット変換部１０３は、処理対象ピクチャの最終ラインブロック（例えば最下段のラインブロック）まで処理したか否かを判定する。処理していないと判定された場合、ステップＳ１０１に戻り、次のラインブロックに対して、それ以降の処理が繰り返される。また、ステップＳ１０９において、最終ラインブロックまで、処理が終了したと判定された場合、その処理対象ピクチャに対する符号化処理が終了される。
【手続補正５】
【補正対象書類名】明細書
【補正対象項目名】０１５０
【補正方法】変更
【補正の内容】
【０１５０】
もちろん、例えばユーザ等が復号画像の解像度を適宜選択し、選択部２１１は、そのような解像度指定指示に従って、復号する必要な符号ラインを特定し、供給される符号ラインの中からその特定した符号ラインを検索し、選択するようにしてもよい。
【手続補正６】
【補正対象書類名】明細書
【補正対象項目名】０２４０
【補正方法】変更
【補正の内容】
【０２４０】
［伝送順の例］
なお、符号ライン（係数ライン）の並び順（伝送順）は、任意である。どのような並び順であっても、係数ライン並び替え部３０２は、符号語解読部３０１からの情報に基づいて、その並び順を把握し、その並び順からウェーブレット逆変換処理の順への並び替えを行う。
【手続補正７】
【補正対象書類名】明細書
【補正対象項目名】０２６６
【補正方法】変更
【補正の内容】
【０２６６】
＜４．第４の実施の形態＞
［パーソナルコンピュータ］
上述した一連の処理は、ハードウェアにより実行させることもできるし、ソフトウェアにより実行させることもできる。この場合、画像符号化装置１００および画像復号装置２００（若しくは画像復号装置３００は）例えば、図２８に示されるようなパーソナルコンピュータとして構成されるようにしてもよい。
【手続補正８】
【補正対象書類名】特許請求の範囲
【補正対象項目名】全文
【補正方法】変更
【補正の内容】
【特許請求の範囲】
【請求項１】
階層的な分析フィルタ処理により所定ライン数の画像データが周波数帯域毎に分解された、少なくとも最低域成分のサブバンドの係数データを１ライン以上含む、各サブバンドの係数データ群からなるラインブロックが符号化されて生成された符号化データから、所定の解像度の復号画像を生成するのに必要なサブバンドの係数データに対応する符号化データを選択する選択手段と、
前記選択手段により選択された符号化データを、復号する復号手段と、
階層的に合成フィルタ処理を行い、前記復号手段により復号されて得られた前記係数データを合成し、前記所定の解像度の復号画像を生成する合成フィルタ手段と
を備える画像処理装置。
【請求項２】
前記符号化データを解読する解読手段をさらに備え、
前記選択手段は、前記解読手段による解読結果に基づいて、前記符号化データを、各階層の前記係数データの１ライン分に対応する符号化データ毎に分割し、その中から、所定の解像度の復号画像を生成するのに必要なサブバンドの係数データに対応する符号化データを選択する
請求項１に記載の画像処理装置。
【請求項３】
前記解読手段は、前記符号化データを解読することにより、前記符号化データに含まれる、各階層の前記係数データの１ライン分に対応する符号化データの符号量の情報を抽出し、
前記選択手段は、前記符号量に基づいて、前記符号化データを、各階層の前記係数データの１ライン分に対応する符号化データ毎に分割し、その中から、所定の解像度の復号画像を生成するのに必要なサブバンドの係数データに対応する符号化データを選択する
請求項２に記載の画像処理装置。
【請求項４】
前記解読手段は、前記符号化データを解読することにより、前記符号化データに含まれる、各階層の前記係数データの１ライン分に対応する符号化データの境界を示すマーカを検出し、
前記選択手段は、前記マーカの検出結果に基づいて、前記符号化データを、各階層の前記係数データの１ライン分に対応する符号化データ毎に分割し、その中から、所定の解像度の復号画像を生成するのに必要なサブバンドの係数データに対応する符号化データを選択する  請求項２に記載の画像処理装置。
【請求項５】
前記復号手段により復号されて得られた前記係数データの並び順を、前記復号手段により復号された順から、前記合成フィルタ処理される順に並び替える係数データ並び替え手段をさらに備え、
前記合成フィルタ手段は、前記係数データ並び替え手段により並び替えられた各サブバンドの前記係数データを合成し、前記所定の解像度の復号画像を生成する
請求項１に記載の画像処理装置。
【請求項６】
前記合成フィルタ手段は、実行可能な中で、より下位の階層のサブバンドの係数データに対する前記合成フィルタ処理を優先的に実行する
請求項１に記載の画像処理装置。
【請求項７】
前記合成フィルタ手段は、前記合成フィルタ処理を、リフティング演算を用いて行う
請求項１に記載の画像処理装置。
【請求項８】
前記合成フィルタ手段は、初期状態のラインブロックに対しては、必要な係数データの対称拡張を行ってから前記リフティング演算を行い、定常状態のラインブロックに対しては、前回の前記リフティング演算結果を利用して、前記リフティング演算を行う
請求項７に記載の画像処理装置。
【請求項９】
前記合成フィルタ手段は、前記係数データに対して、水平方向に前記リフティング演算を行ってから、垂直方向に前記リフティング演算を行う
請求項７に記載の画像処理装置。
【請求項１０】
画像処理装置の選択手段が、階層的な分析フィルタ処理により所定ライン数の画像データが周波数帯域毎に分解された、少なくとも最低域成分のサブバンドの係数データを１ライン以上含む、各サブバンドの係数データ群からなるラインブロックが符号化されて生成された符号化データから、所定の解像度の復号画像を生成するのに必要なサブバンドの係数データに対応する符号化データを選択し、
前記画像処理装置の復号手段が、選択された符号化データを復号し、
前記画像処理装置の合成フィルタ手段が、階層的に合成フィルタ処理を行い、復号されて得られた前記係数データを合成し、前記所定の解像度の復号画像を生成する
画像処理方法。